【事件の表示】
　特願２０１５−５５６０７４「コンテンツキュレーションのためのアプリケーションプログラミングインタフェース」拒絶査定不服審判事件〔平成２６年　８月　７日国際公開、ＷＯ２０１４／１２０６２５、平成２８年　４月２１日国内公表、特表２０１６−５１１８８３、請求項の数（６）〕について、次のとおり審決する。
【結　論】
　原査定を取り消す。
　本願の発明は、特許すべきものとする。
【理　由】
第１　手続の経緯
　本願は、平成２６年１月２８日（パリ条約により優先権主張、２０１３年１月３０日、同年５月１３日、米国）の国際出願に係る特許出願であって、平成２９年９月５日付けで拒絶理由が通知され、同年１１月２１日に意見書とともに手続補正書が提出されたものの、平成３０年４月１９日付けで拒絶査定（原査定）がされ、その謄本が送達された。
　これに対し、同年８月１３日に拒絶査定不服審判の請求がされると同時に手続補正がされ、同年１０月３１日に前置報告がされたものである。
　
第２　原査定の概要
　原査定（平成３０年４月１９日付け拒絶査定）の概要は、次のとおりである。
　
１．本願請求項１−８に係る発明は、以下の引用文献１、引用文献２に基づいて、その発明の属する技術の分野における通常の知識を有する者（以下、「当業者」という。）が容易に発明できたものであるから、特許法第２９条第２項の規定により特許を受けることができない。
　
　引用文献１：米国特許出願公開第２００９／０１５８１７６号明細書
　引用文献２：米国特許出願公開第２００７／０１５６７４５号明細書
　
２．本願請求項２、６に係る発明は不明確であり、本願は、特許請求の範囲の記載が特許法第３６条第６項第２号に規定する要件を満たしていない。
　
第３　審判請求時の補正について
　審判請求時の補正は、査定時の請求項２と請求項６を削除すること等を目的とするものであり、特許法第１７条の２第３項から第６項までの要件に違反しているものとはいえない。
　
第４　本願発明
　本願請求項１ないし６に係る発明（以下、それぞれ「本願発明１」ないし「本願発明６」という。）は、平成３０年８月１３日に提出された手続補正書により補正された特許請求の範囲の請求項１ないし６に記載された事項により特定される発明であり、以下のとおりの発明である。
　
「【請求項１】第１の文書を取り出すステップであって、前記第１の文書が、少なくとも第１のアドレスを含む少なくとも２つの異なったアドレスを介して取り出されたコンテンツブロックを含むものと、
　前記少なくとも２つの異なったアドレスを介して取り出された、前記コンテンツブロックを含む前記第１の文書の第１のビューを表示するステップと、
　前記第１の文書の特定されたコンテンツの選択を受け取るステップと、
　前記第１の文書の前記特定されたコンテンツのアドレスを作成する要求を受け取るステップと、
　該アドレスを作成する前記要求を受け取ることに応答して、前記第１の文書の前記特定されたコンテンツの第２のアドレスを作成し、前記第２のアドレスにおける前記特定されたコンテンツのコピーの格納を開始するアドレスサービスを呼び出すステップと、
　前記特定されたコンテンツにおける、コンテンツの部分の修正を受け取るステップと、　前記特定されたコンテンツ及び前記修正のコピーを、前記第２のアドレスに保存するステップと、
を含む方法。」
「【請求項２】前記特定されたコンテンツが、段落識別子、行識別子、文字識別子、範囲、および部分識別子のうち少なくとも１つを含む位置識別子を使用して特定される、請求項１に記載の方法。」
「【請求項３】前記第１の文書の前記特定されたコンテンツへの修正をマスター文書に統合するよう要求するために統合サービスを呼び出すステップをさらに含み、前記マスター文書が前記第２のアドレスに位置する前記特定されたコンテンツの前記コピーである、請求項１に記載の方法。」
「【請求項４】ディスプレイと、
　プロセッサと、
　１つまたは複数の記憶媒体と、
　前記１つまたは複数の記憶媒体上に格納されたアプリケーションであって、前記プロセッサによって実行されると、前記プロセッサに、
　第１のアドレスを含む少なくとも２つの異なったアドレスを介して取り出されたコンテンツブロックを含む第１の文書を取り出し、
　前記ディスプレイにおいて、前記少なくとも２つの異なったアドレスを介して取り出された前記コンテンツブロックを含む第１の文書の第１のビューを表示し、
　前記第１の文書の特定されたコンテンツの選択を受け取り、
　前記第１の文書の前記特定されたコンテンツのアドレスを作成する要求を受け取り、
　該アドレスを作成する前記要求を受け取ることに応答して、前記第１の文書の前記特定されたコンテンツの第２のアドレスを作成し、前記第２のアドレスにおける前記特定されたコンテンツのコピーの格納を開始するアドレスサービスを呼び出し、
　前記特定されたコンテンツにおける、コンテンツの部分の修正を受け取り、
　前記特定されたコンテンツ及び前記修正のコピーを、前記第２のアドレスに保存する、
　ように指示する、アプリケーションとを備えるシステム。」
「【請求項５】前記特定されたコンテンツが、段落識別子、行識別子、文字識別子、範囲、および部分識別子のうち少なくとも１つを含む位置識別子を使用して特定される、請求項４に記載のシステム。」
「【請求項６】前記アプリケーションは、前記プロセッサに、前記第１の文書の前記特定されたコンテンツへの修正をマスター文書に統合するよう要求するために統合サービスを呼び出すようにさらに指示し、前記マスター文書が前記第２のアドレスに位置する前記特定されたコンテンツの前記コピーである、請求項４に記載のシステム。」
　
第５　引用文献、引用発明等
１．引用文献１について
　原査定の拒絶の理由に引用された引用文献１には、図面とともに次の事項が記載されている。
　
「[0002]One aspect of our everyday lives that may be affected by online social networking technology is the ease with which news stories and other forms of gossip may be shared over the Internet. However, all too often while some shared news or gossip may be interesting to some people, it may not be interesting to others.
[0003]Current web content sharing tools enable copying and pasting content to an application and sending the content. However, copying and pasting web content is cumbersome and difficult to use. Thus, it is with respect to these considerations and others that the present invention has been made.
（仮訳：オンラインソーシャルネットワーキング技術によって影響を受け得る私たちの日常生活の1つの側面は、ニュース記事と他の形態のゴシップがインターネットを介して共有される際の容易さである。しかしながら、いくつかの共有されるニュース、ゴシップが一部の人にとって興味深いものであるが他の人には興味がないものであるということがあまりに多い。
現在のウェブコンテンツ共有ツールは、コンテンツをコピーしてアプリケーションに貼り付けること、及びコンテンツを送ることを可能にする。しかしながら、ウェブコンテンツのコピーおよび貼り付けは、面倒であり、使用が困難である。本発明は、これらを考慮してなされたものである。）」
　
「[0022]Briefly, the present invention is directed to sharing information over a network. A drag-and-drop of a selection of a portion of content may be received at a sharing area. A sharing message may be generated based on a type of the portion. If the type of the portion indicates storage, the sharing message may comprise a hyperlink to a storage. The sharing message may be useable for providing the portion on at least one client device associated with at least one of a plurality of members of a social network. Sharing over the network of the portion between an originating sharing member and the plurality of members of the social network may be enabled. The portion may be shared for a customizable project. A hop distance may be provided for the shared portion.
（仮訳：簡単に言えば、本発明は、ネットワークを介した情報共有に向けられる。コンテンツの部分の選択のドラッグ・アンド・ドロップが共有領域において受けとられ得る。共有メッセージは、その部分のタイプに基づいて生成され得る。その部分のそのタイプがストレージを示す場合、共有メッセージは、ストレージへのハイパーリンクを含み得る。共有メッセージは、ソーシャルネットワークの複数のメンバーの少なくとも一人に関連する少なくとも一つのクライアントデバイスにその部分を提供するために使用され得る。最初の共有メンバーと複数のソーシャルネットワークのメンバーとの間でのネットワークを介したその部分の共有が可能とされ得る。その部分は、カスタマイズ可能なプロジェクトのために共有され得る。その共有部分のために、ホップ距離が規定され得る。）」
　
「[0032]Thus, a user of client devices  101 - 104  may employ any of a variety of client applications to access content, read articles, read messages, compose messages, send messages, or the like. In one embodiment, a user of client devices  101 - 104  may access a news article, or other item of interest from, for example, content server  108 . The user may then select to forward a message to another user of one of client devices  101 - 104  about the accessed content, article, or the like.
（仮訳：従って、クライアント装置１０１−１０４のユーザは、様々なクライアントアプリケーションのいずれかを使用して、コンテンツにアクセスする、記事を読む、メッセージを読む、メッセージを合成する、メッセージを送る、等をすることができる。一実施形態において、クライアントデバイス１０１−１０４のユーザは、例えば、コンテンツサーバー１０８からのニュース記事や他の興味深い項目にアクセスできる。次いで、そのユーザは、クライアントデバイス１０１−１０４のうちの一つの他のユーザに、アクセスされたコンテンツや記事等についてのメッセージを転送すべく選択し得る。）」
　
「[0033]In one embodiment, client devices  101 - 104  may enable a sharing area for dragging-and-dropping content from another application and sharing the dragged-and-dropped content with members of a social network. Client devices  101 - 104  may receive a selection of a portion of content. For example, a user may drag a rectangular selection over a portion of an HTML page. The selection may be received using an application programming interface (API) of an operating system, an event trigger, or the like. The selection may be received in the client application (e.g., web browser), in a plug-in to the client application, or the like. The selected portion may then be sent to CSS  106  over networks  105  and/or  110  in preparation for sharing with members of a social network. CSS  106  may provide a hyperlink to at least some types of the selected portion on CSS  106 . In one embodiment, if the selected portion is a multimedia object, CSS  106  provides a hyperlink to a copy of the multimedia object on CSS  106 . In any case, a hyperlink, or the actual selected portion itself may be forwarded to at least one of client devices  101 - 104 .
（仮訳：一実施形態において、クライアントデバイス１０１−１０４は、他のアプリケーションからのコンテンツをドラッグ・アンド・ドロップすると、ドラッグ・アンド・ドロップされたコンテンツをソーシャルネットワークの会員と共有するための他のアプリケーションからのコンテンツをドラッグ・アンド・ドロップしてそのドラッグ・アンド・ドロップされたコンテンツをソーシャルネットワークの他のメンバーと共有するための共有領域を可能にし得る。クライアントデバイス１０１−１０４は、コンテンツの一部の選択を受け取ることができる。例えば、ユーザは、ＨＴＭＬページの部分に重なる矩形の選択をドラッグし得る。その選択は、オペレーティングシステムのアプリケーション・プログラミング・インターフェース（ＡＰＩ）、イベントトリガ等を用いて受け取られ得る。その選択は、クライアントアプリケーション（例えば、ウェブブラウザ）や、クライアントアプリケーションに対するプラグイン等において、受け取られ得る。その選択された部分は、その後、ソーシャルネットワークの会員との共有の準備のために、ネットワーク１０５および／または１１０を介してＣＳＳ１０６に送信され得る。ＣＳＳ１０６は、少なくともＣＳＳ１０６上の選択された部分のいくつかのタイプへのハイパーリンクを提供し得る。一実施形態では、その選択された部分がマルチメディア・オブジェクトである場合、ＣＳＳ１０６は、ＣＳＳ１０６上のマルチメディアオブジェクトのコピーへのハイパーリンクを提供する。いずれの場合においても、ハイパーリンク、又は実際に選択された部分自体が、クライアントデバイス１０１−１０４の少なくとも１つに転送され得る。）」
　
「［0047］As noted, CSS  106  may receive a selected portion of content that was dragged-and-dropped or otherwise indicated for sharing. CSS  106  may pre-process the selected portion for sharing. In one embodiment, CSS  106  may receive the selected portion, copy the selected portion in a database, create a hyperlink to the selected portion, or the like. CSS  106  may send the selected portion to at least one of client devices  101 - 104  associated with members of a social network. In another embodiment, CSS  106  may send a hyperlink to the selected portion back to the originating client device requesting CSS  106  to pre-process the selected portion for sharing. In one embodiment, the originating client device may share the hyperlink and/or selected portion using a variety of techniques described above, including a peer-to-peer sharing. CSS  106  may employ a process substantially similar to the process described below in conjunction with  FIGS. 4-5  to perform at least some of its actions.
（仮訳：上述したように、ＣＳＳ１０６は、ドラッグ・アンド・ドロップされ、あるいは他の方法で共有することが示されたコンテンツの選択された部分を受け取ることができる。ＣＳＳ１０６は、その選択された部分を共有のために前処理することができる。一実施形態では、ＣＳＳ１０６は、その選択された部分を受け取り、データベースにその選択された部分をコピーし、その選択された部分へのハイパーリンクを生成する、等することができる。ＣＳＳ１０６は、選択された部分を、ソーシャルネットワークのメンバーに関連付けられたクライアント・デバイス１０１−１０４の少なくとも１つに送信することができる。別の実施形態では、ＣＳＳ１０６は、ＣＳＳ１０６に共有のためにその選択された部分を前処理するように要求した最初のクライアントデバイス１０６に、その選択された部分へのハイパーリンクを送り返すことができる。一実施形態では、その最初のクライアントデバイスは、ピアツーピアによる共有を含む上述した様々な技術を使用して、ハイパーリンクおよび／または選択された部分を共有し得る。ＣＳＳ１０６は、図４と図５に関連して次に述べられるプロセスと少なくともいくつかのアクションを実行することで本質的に似ているプロセスを用いることができる。）」
　
「[0075]In one embodiment, message server  358  may receive a selected portion of content (e.g., web content) over network interface unit  310  to be pre-processed for sharing. The selected portion may be indicated to be shared with at least one member of a social network (e.g., from a content list of a user, or the like). The selected portion may be indicated as dragged-and-dropped onto a sharing area and to be shared with the at least one member. In one embodiment, message server  358  may determine a type of the selected portion. Based on a type of the selected portion, a copy of the selected portion may be stored on, for example, data store  352  (e.g., in a sharing database). Message server  358  may provide a hyperlink, such as a URL, or the like, to the stored selected portion. In one embodiment, the hyperlink and/or the selected portion itself may be shared with client devices associated with members of the social network over network interface unit  310 .
（仮訳：一実施形態では、メッセージサーバ３５８は、ネットワークインタフェース部３１０を介してコンテンツ（例えばウェブ・コンテンツ）の選択された部分を受信して、共有のために前処理することができる。その選択された部分は、ソーシャルネットワークの少なくとも１つのメンバーと共有されるように（例えば、ユーザのコンテンツリスト等から）示され得る。その選択された部分は、少なくとも一人のメンバーと共有されるべく、共有領域上へのドラッグ・アンド・ドロップとして示されてもよい。一実施形態では、メッセージサーバ３５８は、選択された部分のタイプを決定し得る。その選択された部分のタイプに基づいて、その選択された部分のコピーが、例えば、データストア３５２に（例えば、共有データベースに）記憶され得る。メッセージサーバ３５８は、その記憶された選択された部分への（ＵＲＬ等のような）ハイパーリンクを提供し得る。一実施形態では、そのハイパーリンクおよび／またはその選択された部分自体が、ネットワークインターフェイス部３１０を介して、ソーシャルネットワークのメンバーに関連付けられたクライアント・デバイスと共有され得る。）」
　
「[0103]FIGS. 7A-7C  show an illustrative process for dragging-and-dropping a portion of content for sharing with members of a social network.  FIG. 6A  shows a selection  706  of content displayed within a web page. The web page may be displayed in web browser  710  for the URL  704 . Selection  706  is dragged visually across the screen using, for example, a cursor, over path  708 . Selection  706  is dropped in sharing area  702 . As shown, there may be a plurality of sharing areas  702 - 703  associated with a plurality of different types of sharing. For example, each of sharing areas  702 - 703  may be associated with a different type of project.
（仮訳：図７Ａ〜図７Ｃは、ソーシャルネットワークのメンバーと共有するためのコンテンツの部分をドラッグ・アンド・ドロップするための例示的なプロセスを示している。図６Ａは、ウェブページ内に表示されるコンテンツの選択７０６を示す。そのウェブページは、ＵＲＬ７０４に対してウェブブラウザ７１０に表示され得る。選択７０６は、画面上を視覚的に、例えば、カーソルを用いて経路７０８上を、ドラッグされる。選択７０６は、共有領域７０２にドロップされる。図示されるように、異なる種類の複数の共有に関連して複数の共有領域７０２−７０３があり得る。例えば、共有領域７０２−７０３の各々は、異なる種類のプロジェクトに関連付けられ得る。）」
　
　したがって、上記引用文献１には次の発明（以下、「引用発明」という。）が記載されていると認められる。
　
「ネットワークを介した情報共有のため、
　クライアントデバイスにおいて、
　コンテンツサーバー１０８からのニュース記事等のコンテンツを取得し、[0032]
　ユーザによるコンテンツの部分の選択のドラッグ・アンド・ドロップ([0103])が共有領域において受けとられ、[0022]
　選択された部分である、ユーザによりドラッグされたＨＴＭＬページの部分に重なる矩形の選択は、オペレーティングシステムのアプリケーション・プログラミング・インターフェース（ＡＰＩ）を用いて受け取られ、ウェブブラウザのようなクライアントアプリケーションやクライアントアプリケーションに対するプラグインにおいて受け取られ、その後、ソーシャルネットワークの会員との共有の準備のために、ＣＳＳ１０６に送信され、
　ＣＳＳ１０６において、
　ＣＳＳ１０６上の選択された部分のいくつかのタイプへのハイパーリンクを提供し、その選択された部分がマルチメディア・オブジェクトである場合、ＣＳＳ１０６上のマルチメディアオブジェクトのコピーへのハイパーリンクを提供するものであり、[0033]、また、その選択された部分を受け取り、データベースにその選択された部分をコピーし、その選択された部分へのハイパーリンクを生成し、選択された部分を、ソーシャルネットワークのメンバーに関連付けられたクライアント・デバイス１０１−１０４の少なくとも１つに送信することができ、共有のためにその選択された部分を前処理するように要求した最初のクライアントデバイスにその選択された部分へのハイパーリンクを送り返すことができるものであり、[0047]
　メッセージサーバ３５８において、
　選択された部分のタイプに基づいて共有メッセージが生成され、共有メッセージがソーシャルネットワークの複数のメンバーの少なくとも一人に関連する少なくとも一つのクライアントデバイスにその部分を提供するために使用されて、最初の共有メンバーと複数のソーシャルネットワークのメンバーとの間でのネットワークを介したその部分の共有が可能とされるものであり[0022]、共有メッセージは、ストレージへのハイパーリンクである記憶された選択された部分へのハイパーリンクを提供するものであって、そのハイパーリンクおよび／またはその選択された部分自体をソーシャルネットワークのメンバーに関連付けられたクライアント・デバイスと共有するものである、[0022][0075]
　方法。」
　
２．引用文献２について
　また、原査定の拒絶の理由に引用された上記引用文献２には、次の記載がある。
　
「[0064]At Step S460 the fragment object updates the portion of the source document to which the fragment object refers according to the edit performed in Step S440.・・・Updating the source document may also include transforming the data back to its native form if the data of the source document was transformed by the fragment object for inclusion in the referencing document.・・・
（仮訳：ステップＳ４４０で実行された編集に従って、ステップＳ４６０で、断片オブジェクトは、その断片オブジェクトが参照するソースドキュメントの部分を更新する。・・・ソースドキュメントの更新は、断片オブジェクトによりソースドキュメントのデータが変換されていた場合には、そのデータを元に戻すように変換することを含み得る。・・・）」
　
　この記載からみて、当該引用文献２には、断片オブジェクトでソース文書を更新するという技術的事項が記載されていると認められる。
　
第６　対比・判断
１．本願発明１について
（１）対比
　本願発明１と引用発明とを対比すると、次のことがいえる。
　
　引用発明における「コンテンツ」及びコンテンツの「選択された部分」は、本願発明１における「第１の文書」及び第１の文書の「コンテンツブロック（乃至コンテンツ）」に相当する。
　引用発明の「コンテンツサーバ−」のアドレスは、第１の文書が取り出されるアドレスであり、本願発明１の「第１のアドレス」に相当し、引用発明は、本願発明の第１の文書を取り出すステップに相当するステップを含むものである。
　
　引用発明のコンテンツブロックは、クライアントデバイス上のウェブブラウザに表示されたＨＴＭＬページにおける矩形選択に係る選択された部分であり得るところ、このウェブブラウザに表示されたＨＴＭＬページは、本願発明の「第１の文書の第１のビュー」に相当する。
　
　引用発明は、ＨＴＭＬページにおける矩形選択に係る選択された部分が、オペレーティングシステムのＡＰＩを用いて受け取られ、ネットワークを通じてＣＳＳに送信され、ＣＳＳにおいて、選択された部分のコピーが格納されてそのコピーを示すハイパーリンクが与えられるところ、この「矩形選択に係る選択された部分」は、本願発明の「特定されたコンテンツ」に相当し、このコピーを示すハイパーリンクは、本願発明の「第２のアドレス」に相当する。
　そうすると、引用発明の矩形選択に係る選択された部分のドラッグ・アンド・ドロップの操作に伴うＡＰＩの呼出しは、本願発明の「前記第１の文書の前記特定されたコンテンツのアドレスを作成する要求」に相当するといえ、また、この選択された部分がＡＰＩを用いて受け取られてＣＳＳに送信されてそのコピーを示すハイパーリンクが与えられることは、本願発明の「該アドレスを作成する前記要求を受け取ることに応答して、前記第１の文書の前記特定されたコンテンツの第２のアドレスを作成し、前記第２のアドレスにおける前記特定されたコンテンツのコピーの格納を開始するアドレスサービスを呼び出す」ことに相当するといえる。
　
　したがって、本願発明１と引用発明との間には、次の一致点、相違点があるといえる。
　
（一致点）
「第１の文書を取り出すステップと、
　前記少なくとも２つの異なったアドレスを介して取り出された、前記コンテンツブロックを含む前記第１の文書の第１のビューを表示するステップと、
　前記第１の文書の特定されたコンテンツの選択を受け取るステップと、
　前記第１の文書の前記特定されたコンテンツのアドレスを作成する要求を受け取るステップと、
　該アドレスを作成する前記要求を受け取ることに応答して、前記第１の文書の前記特定されたコンテンツの第２のアドレスを作成し、前記第２のアドレスにおける前記特定されたコンテンツのコピーの格納を開始するアドレスサービスを呼び出すステップと、
を含む方法。」
　
（相違点）
（相違点１）本願発明１の「第１の文書」は、「少なくとも第１のアドレスを含む少なくとも２つの異なったアドレスを介して取り出されたコンテンツブロックを含む」のに対し、引用発明は、「少なくとも第１のアドレスを含む少なくとも２つの異なったアドレスを介して取り出されたコンテンツブロックを含む」と明示されていない点。
（相違点２）本願発明１は、「前記特定されたコンテンツにおける、コンテンツの部分の修正を受け取るステップ」及び「前記特定されたコンテンツ及び前記修正のコピーを、前記第２のアドレスに保存するステップ」を含むのに対し、引用発明は、これらのステップを含んでいない点。
　
（２）相違点についての判断
　事案に鑑み、相違点２について検討する。
　引用文献１は、「ウェブコンテンツ共有ツール」における「コンテンツをコピーしてアプリケーションに貼り付けること」及び「コンテンツを送ること」に伴う「コピーおよび貼り付け」が面倒であり使用が困難であるという課題（引用文献１の段落[0002][0003]）の解決のための技術であって、そもそも、コンテンツの修正に係る課題を解決しようとするものでなく、「コンテンツの部分の修正」を「第１の文書」から「選択」された「コンテンツ」について生成した「第２のアドレス」に保存するという、コンテンツの修正に係る技術を組み合わせる動機づけが認められないし、これと単に組み合わせることが可能である技術が周知であるとも認められない。（引用文献２もこのような技術を開示するものではない。）
　むしろ、引用文献１において、メンバー間で共有されたニュース記事やゴシップは、修正されることを予定されていないから、このような組み合わせは阻害されるものと認められる。
　したがって、上記相違点１について判断するまでもなく、本願発明１は、当業者であっても引用発明及び引用文献２に記載された技術的事項に基づいて容易に発明できたものであるとはいえない。
　
２．本願発明２、本願発明３について
　本願発明２及び本願発明３も、本願発明１の相違点２に係る構成と同一の構成を備えるものであるから、本願発明１と同じ理由により、当業者であっても、引用発明、引用文献２に記載された技術的事項に基づいて容易に発明できたものとはいえない。
　
３．本願発明４ないし本願発明６について
　本願発明４ないし本願発明６は、本願発明１ないし本願発明３に対応するシステムの発明であり、本願発明１の相違点２に係る構成に対応する構成を備えるものであるから、本願発明１と同様の理由により、当業者であっても、引用発明、引用文献２に記載された技術的事項に基づいて容易に発明できたものとはいえない。
　
第７　原査定について
１．理由１（特許法第２９条第２項）について
　「第４　本願発明」から「第６　対比・判断」までに示したように、本願発明１ないし本願発明６は、いずれも、当業者であっても、引用発明、引用文献２に記載された技術的事項に基づいて容易に発明できたものとはいえない。したがって、原査定の理由１を維持することはできない。
　
２．理由２（特許法第３６条第６項第２号）について
　審判請求時の補正により、査定時の請求項２と請求項６は削除されており、原査定の理由２は解消している。
　
第８　むすび
　以上のとおり、原査定の理由によっては、本願を拒絶することはできない。
　また、他に本願を拒絶すべき理由を発見しない。
　よって、結論のとおり審決する。